(57)【要約】      （修正有）【課題】廃棄物として処理する際に、コンパクトに折り畳むことができ、かつ、折り畳み後のコンパクト形態を保持することができるマルチパック用包装箱を提供する。【解決手段】複数個の並列な容器群の上面を覆う上面板２と、側面を覆う側面板３、４と、係止部を有する底面板とを備え、底面板を係着することにより容器群を収納することができ、上面板と前記側面板とが連接される第１折り線部位２ａ、２ｂの近傍には、係合突起片７０ａ、７０ｂが形成されており、側面板と底面板とが連接される第２折り線部位３ａ、４ａの近傍には、係合孔が形成されており、包装箱を２つ折りにした後、端部位置に配置される第１折り線部位と第２折り線部位とを折り込んで４つ折込体を形成しつつ、あるいは形成した後、係合突起片を係合孔に差し込むことにより４つ折込体を一体化・固定することができるように構成。【選択図】  図２
2004196345.tif 000002
【特許請求の範囲】
【請求項１】
複数個を並列に配置された容器群の上面を覆う上面板と、
この上面板の両側部に連接され並列された各容器の側面を覆う側面板と、
これら側面板に連接され互いに係着しうる係止部を有する底面板とを備え、前記底面板を係着することにより前記容器群を包むように収納することができるマルチパック用包装箱において、
前記上面板と前記側面板とが連接される第１折り線部位の近傍には、係合突起片が形成されており、
前記側面板と前記底面板とが連接される第２折り線部位の近傍には、係合孔が形成されており、
前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成しつつ、あるいは形成した後、略同位置に存在する前記係合突起片を前記係合孔に差し込むことにより前記４つ折込体を一体化・固定することができるようになっていることを特徴とするマルチパック用包装箱。
【請求項２】
前記係合突起片は、前記係合孔との関係で差込ロック機能を備えてなる請求項１に記載のマルチパック用包装箱。
【請求項３】
前記係合突起片は、その固定基部が前記上面板側に形成されており、自由に可動できる突起片先端部が前記側面板側に形成されている請求項１または請求項２に記載のマルチパック用包装箱。
【請求項４】
包装箱展開状態において、前記係合突起片は上面板を中心として少なくとも１対左右対称に配置形成されている請求項１ないし請求項３のいずれかに記載のマルチパック用包装箱。
【請求項５】
複数個を並列に配置された容器群の上面を覆う上面板と、
この上面板の両側部に連接され並列された各容器の側面を覆う側面板と、
これら側面板に連接され互いに係着しうる係止部を有する底面板とを備え、前記底面板を係着することにより前記容器群を包むように収納することができるマルチパック用包装箱において、
前記上面板と前記側面板とが連接される第１折り線部位の近傍には、係合孔が形成されており、
前記側面板と前記底面板とが連接される第２折り線部位の近傍には、係合突起片が形成されており、
前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成しつつ、あるいは形成した後、略同位置に存在する前記係合突起片を前記係合孔に差し込むことにより前記４つ折込体を一体化・固定することができるようになっていることを特徴とするマルチパック用包装箱。
【発明の詳細な説明】
【０００１】
【発明の属する技術分野】
本発明は、例えば缶容器等の一定数量の容器を並列させた状態で包装するマルチパック用包装箱に関する。
【０００２】
【従来の技術】
【特許文献１】特表２００２−５１３３６５
従来から、缶容器等の複数個の容器を複数個一列あるいは複数列で起立させた状態のまま整列させて置き、つぎに容器の上部、側部および下部を包み込むようにして包装した紙製のマルチパック用包装箱が使用されている。
【０００３】
このようなマルチパック用包装箱の使用により、複数個の缶容器等を１個の包装体にまとめて一度にかつ簡易に持ち運ぶことができるようになり、さらに、纏め売りの効果も相俟って当該マルチパック用包装箱の使用が近年急速に拡大しつつある。
【０００４】
このようなマルチパック用包装箱（例えば、缶ビールの場合）は、卸元から小売店等に引き渡される際、通常、出荷カートンケース内に２列２行に収納された状態で搬出される。
【０００５】
従って、小売店等におけるマルチパック用包装箱は、例えば、出荷カートンケースから個々に引き出されてマルチパック用包装箱単位で売られたり、さらにマルチパック用包装箱からその中に収納されている缶製品を取り出してばら売りに供されたりする。いずれの販売方法であっても、使用後の包装箱の役目を終えたマルチパック用包装箱は、小売店または消費者の手によって、通常ゴミとして処分される。
【０００６】
【発明が解決しようとする課題】
しかしながら、従来のマルチパック用包装箱は、包装された缶容器をすべて取り出した後に、コンパクトに畳むことができず、廃棄物として処理する際に、嵩張って見かけのゴミ量が増大するとともに、廃棄処理する際に人の手間がかかってしまうという不都合が生じていた。
【０００７】
このような実状のもとに本発明は創案されたものであり、その目的は、上記の問題点を解決し、廃棄物として処理する際に、コンパクトに折り畳むことができ、かつ、折り畳み後のコンパクト形態を保持することができるマルチパック用包装箱を提供することにある。
【０００８】
【課題を解決するための手段】
上記課題を解決するために本発明は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるマルチパック用包装箱において、前記上面板と前記側面板とが連接される第１折り線部位の近傍には、係合突起片が形成されており、前記側面板と前記底面板とが連接される第２折り線部位の近傍には、係合孔が形成されており、前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成しつつ、あるいは形成した後、略同位置に存在する前記係合突起片を前記係合孔に差し込むことにより前記４つ折込体を一体化・固定することができるように構成される。
【０００９】
本発明の好ましい態様として、前記係合突起片は、前記係合孔との関係で差込ロック機能を備えてなるように構成される。
【００１０】
本発明の好ましい態様として、前記係合突起片は、その固定基部が前記上面板側に形成されており、自由に可動できる突起片先端部が前記側面板側に形成されるように構成される。
【００１１】
本発明の好ましい態様として、包装箱展開状態において、前記係合突起片は上面板を中心として少なくとも１対左右対称に配置形成されるように構成される。
【００１２】
本発明は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるマルチパック用包装箱において、前記上面板と前記側面板とが連接される第１折り線部位の近傍には、係合孔が形成されており、前記側面板と前記底面板とが連接される第２折り線部位の近傍には、係合突起片が形成されており、前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成しつつ、あるいは形成した後、略同位置に存在する前記係合突起片を前記係合孔に差し込むことにより前記４つ折込体を一体化・固定することができるように構成される。
【００１３】
【発明の実施の形態】
以下、本発明のマルチパック用包装箱１の具体的実施の形態の一例について、図１〜図６を参照しつつ説明する。
【００１４】
図１は、本発明のマルチパック用包装箱１の展開図の一例を示したものであり、図２は、図１に示されるように展開された箱オリジナル紙を組み立てた斜視図である。包装箱として機能している時には、通常、包装箱中に缶ビールや缶ジュースで代表される缶容器が収納されている。図３〜図６は、それぞれ、包装箱の役目を終えた空箱（マルチパック用包装箱）をコンパクトに折り畳む状況を経時的に説明するための概略斜視図である。
【００１５】
本発明における実施の形態として、缶ビールを６個収納することができる一般的なマルチパック用包装箱１を一例にとって説明する。
【００１６】
本発明のマルチパック用包装箱１は、図１に示される展開シート（パック用シート）を組み立てることによって形成することができ、展開シートは、図１に示されるごとく横長の略矩形形状をなしている。図１に示される展開シートは包装表面側を表している。
【００１７】
図１に示される展開シートにおいて、その中央部は上面板２を構成し、その両端にそれぞれ側面板３，４が連接されている。そして、側面板３の先端側となる図面の左側部分には底面板５が形成され、側面板４の先端側となる図面の右側部分には底面板６がそれぞれ形成されている。
【００１８】
上面板２は、直列３個を並列２列に起立状態に整列させた缶ビール６個の上面を覆うように、図面の縦辺１ａ方向にはビール缶３缶分、横片１ｂ方向にはビール缶２缶分の長さからなる面積を備えている。上面板２の両側には缶ビールの側部を覆うようにその高さに相当する側面板３，４がそれぞれ境界線をなす折り線２ａ，２ｂを介して連設されている。
【００１９】
このような折り線２ａ，２ｂが本発明でいう第１折り線部位に該当し、この第１折り線部位の近傍には、係合突起片７０ａ，７０ｂがそれぞれ形成されている。
【００２０】
係合突起片７０ａ，７０ｂは、それぞれ、その固定基部７１が前記上面板２側に形成されており、自由に可動できる突起片先端部７５が前記側面板３，４側に形成されている。固定基部７１は前記上面板２と一体化されており、符号７２は折り線を表す。
【００２１】
固定基部７１を除いた部分、すなわち、突起片先端部７５を含む他の輪郭形状部（係合片として機能する主形態）は、通常、ミシン目で形成され容易に部分的形状として切り取ることができ、後述する係合突起片としての機能を発揮することができるようになっている。符号７３は係止顎部を示している。突起片先端部７５の先端は係合操作が容易となるように先細形状となっており、その部位から係止顎部７３に向けて漸増的に広幅となり、係止顎部７３の頂部における最大幅は、後述する係合孔８０ａ，８０ｂの係合幅よりも大きくなっている。係止を確実にするためである。
【００２２】
図１に示される包装箱展開状態において、係合突起片７０ａ，７０ｂは上面板２を中心として少なくとも１対左右対称に配置形成されていることが望ましい。後述の折り畳み操作の説明から分かるように折り畳みの方向性に自由度を持たせるためである。
【００２３】
このような係合突起片７０ａ，７０ｂと対をなして係合作用をなす係合孔８０ａ，８０ｂが側面板３および４と底面板５および６とがそれぞれ連接される第２折り線部位３ａ，４ａの近傍に形成される。図１に示されるように、係合孔８０ａ，８０ｂが主に占有する孔面積は、底面板５および６側に存在するようにするのがよい。後述する折り畳み操作後の係合操作を容易ならしめるためである。
【００２４】
このような係合孔８０ａ，８０ｂは、図１に示されるように上面板２を中心として少なくとも１対左右対称に配置形成されることが望ましい。前述したように係合突起片７０ａ，７０ｂと協働して折り畳みの方向性に自由度を持たせるためである。
【００２５】
本発明において、このような係合孔８０ａ，８０ｂと前記係合突起片７０ａ，７０ｂとの配置関係は、以下の操作が可能なように設定される。
【００２６】
すなわち、前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成し、しかる後、略同位置に存在する前記係合突起片を前記係合孔に差し込むことにより前記４つ折込体を一体化・固定することができるように配置設定される。前記４つ折込体を一体化・固定するために前記係合突起片７０ａ，７０ｂは、前記係合孔８０ａ，８０ｂとの関係で差込ロック機能を備えてなるように構成することが好ましい。なお、このような操作は以下の図２〜図６に基づいて詳述される経時的な動作説明により明確に理解することができよう。
【００２７】
図１における底面板５，６には先端部で互いに係着し得る雌側の係止部７（底面板５側）および雄側の係止部８（底面板６側）がそれぞれ形成されている。
【００２８】
図面の左側に位置している底面板５側の係止部７は、先端部を形成する展開シートの一方の縦辺１ａに平行な第１係止部７ａと、その内側に同じく縦辺１ａに平行に設けられた第２係止部７ｂとから構成されている。これら第１係止部７ａ、および第２係止部７ｂは、縦辺１ａの中央とその両端側の３箇所にそれぞれ設けられている。
【００２９】
この実施形態では、第１係止部７ａの形状は切り抜かれた縦長の略四角孔となっていて、その孔の一辺ａが係合部に形成され、第２係止部７ｂの形状は切り込みとなっている。
【００３０】
これに対し、図面の右側に位置している底面板６側の雄側の係止部８は、前記第１係止部７ａおよび第２係止部７ｂとにそれぞれ係着し得るように形成された第１係止部８ａおよび第２係止部８ｂとから構成されている。
【００３１】
この実施の形態では、第１係止部８ａの形状は、縦辺１ａに平行な直線で中央が内側に凹部ｂとなる切り込みとなっている。第２係止部８ｂの形状は第１係止部８ａの幅から縦辺１ａの外側へ先細りとなって首部ｄに至り、これに続く先端は首部ｄより幅のある頭部ｃとして形成されている。
【００３２】
また、前記側面板３，４の横辺１ｂ側の各端部には、内側に折り込んで前記上面板２および底面板５，６の隅部との間にビール缶の脱落を防止するためのガゼット１０ａ，１０ｂを構成する折り込み片９が境界線をなす折り線３ｂ，４ｂを介して連設されている。折り込み片９の折り目３ｂ、４ｂには、内側に折り易くするために切り込みを入れても良い。
【００３３】
図１に示される底面板５，６を係着することにより、缶ビール等の容器群を包むように収納できるマルチパック用包装箱１が組立てられる。そして、図２に示されるようにマルチパック用包装箱１の側面板３，４が存在しない両端部において容器群の一部の側面が覗く開口部Ｐがそれぞれ形成される。
【００３４】
図１に示される上面板２は、その開口部Ｐ側において、容器の天面蓋の一部が覗くように切り欠き部５０が形成されている。
【００３５】
なお、図１における、符号１３はコンプレッションホール（４箇所）、符号１４ａは山折り線、符号１４ｂは谷折り線をそれぞれ表している。さらに符号１５ａはトップガゼットホール（４箇所）、符号１５ｂはボトムガゼットホール（４箇所）、符号１６はフィンガーホール（２箇所）、符号１７は切り取り線、符号１８はロット確認窓をそれぞれ表している。
【００３６】
次いで、図１に示される具体的包装操作の一例を簡単に説明しておく。まず、図１に示されるパック用シートを裏返して、その上面板２の部分の上部に缶ビール６本の底部を上向きとして直列した３缶を２列に並列させて載置する。
【００３７】
その上で、缶ビールの側部を覆うように側面板３，４を折り線２ａ，２ｂ（第１折り線部位）を境界線として内側に折り、さらに缶ビールの底部を覆うように底面板５および６を折り線３ａ，４ａ（第２折り線部位）を境界線として内側に折り、底面板６の縦辺１ａに設けられている雄側の第２係止部８ｂを頭部ｃから底面板５側の縦辺１ａ方向に設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させることによりパック用シート１は無端状態に形成されて缶ビールに帯がかかった状態の缶入りマルチパック用包装箱となる。
【００３８】
このとき、各折り込み片９が内側に折り込まれると上面板２と側面板３，４との隅部にトップガゼット１０ａが、また側面板３，４を底面板５，６との隅部にボトムガゼット１０ｂがそれぞれ形成され、マルチパック用包装箱１に包装された缶ビールの抜け止めがなされる。
【００３９】
このパック用シート１を上面板２面が上になるように反転させると図２に示されるような斜視図の形態となる。なお、図２〜図６において要部以外の図面の簡素化を図るために、例えば切り欠き部５０の曲線形状等の記載は省略してある。
【００４０】
以下、本発明のマルチパック用包装箱１が包装容器としての役目を終え、廃棄物として処理される際に、コンパクトに折り畳むことができ、かつ、折り畳み後のコンパクト形態を保持することができるという動作を図２〜図６に基づき説明する。
【００４１】
例えば、缶ビール群等の内容物は包装箱の開口部Ｐ側から順次引き出され消費されていき、最終的に図２示される形態のマルチパック用包装箱（空箱）が残る。
【００４２】
このようなマルチパック用包装箱は、本実施の形態の場合、図３に示されるように第２折り線部位３ａを折り込みの基線として包装箱を２つ折りにして２つ折込体が形成される。なお、この折り方の場合、見方を変えれば第１折り線部位２ｂを折り込みの基線として包装箱を２つ折りにしていると言うこともできる。いずれの場合も、第１または第２の折り線部位を基線として２つ折込体が形成される。
【００４３】
さらに、図３において、２つ折込体が形成された後の端部に位置する係合突起片７０ｂが突起片として外方に引き出される。
【００４４】
次いで、図４に示されるように２つ折込体の端部位置に配置される前記第１折り線部位２ｂと第２折り線部位３ａとが重なり合わせるように折り込まれ、４つ折込体が形成される。この４つ折込体を形成しつつ、あるいは形成した後に、略同位置に存在する係合突起片７０ｂが係合孔８０ｂに差し込まれる。これにより折り畳まれた４つ折込体を一体化・固定することができる（図５および図６）。
【００４５】
缶ビールの場合における一般的な商品構成として、３５０ｍＬおよび５００ｍＬ缶が存在する。３５０ｍＬ缶を２×３＝６缶収納することができるマルチパック用包装箱では、２つ折込体から４つ折込体を形成する際に（図４の状態）、その略中心位置に折り線２ａ（裏側に折り線４ａ）が存在しているために、その折り線を利用して４つ折込体の形成が極めて容易に実行できる。
【００４６】
この一方で、５００ｍＬ缶を２×３＝６缶収納することができるマルチパック用包装箱では、３５０ｍＬ缶の場合と同様にはいかず、４つ折込体の形成時に、中心線の折り目を強制的に作る必要がある。ただし、この折り目の形成作業は、マルチパック用包装箱の紙厚が比較的薄いために、容易に実行することができる。
【００４７】
なお、本発明の実施の形態において、２つ折込体の形成の際に折り込む方向性は図３の左右いずれの方向でもよい。折り込む方向によって、係合突起片７０ａ，７０ｂと、係合孔８０ａ，８０ｂとを使い分ければよい。
【００４８】
また、図１における係合突起片７０ａ，７０ｂと、係合孔８０ａ，８０ｂとの配置を完全に取り替えても（係合突起片を係合孔に置換し、係合孔を係合突起片に置換する）、上述してきた作用と同様な作用を行なうことができる。
【００４９】
なお、本発明における実施形態ではビール缶の包装を例にとって説明したが、このものに限定されるものではない。例えば、ジュース缶、その他の各種缶製品にも適用できることは勿論のことである。
【００５０】
【発明の効果】
本発明のマルチパック用包装箱は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができ、前記上面板と前記側面板とが連接される第１折り線部位の近傍には、係合突起片が形成されており、前記側面板と前記底面板とが連接される第２折り線部位の近傍には、係合孔が形成されており、前記第１折り線部位または第２折り線部位を折り込の基線として包装箱を２つ折りにして２つ折込体を形成した後、次いでこの２つ折込体の端部位置に配置される前記第１折り線部位と前記第２折り線部位とを重なり合わせるように折り込んで４つ折込体を形成しつつ、あるいは形成した後、略同位置に存在する前記係合突起片を前記係合孔に差し込むことにより前記４つ折込体を一体化・固定することができるように構成されているので、包装箱としての役目を終えた空箱を廃棄物として処理する際に、コンパクトに折り畳むことができ、かつ、折り畳み後のコンパクト形態を保持することができるという極めて優れた効果が発現する。
【図面の簡単な説明】
【図１】本発明のマルチパック用包装箱の展開図の一例を示したものである。
【図２】図１に示される展開された箱オリジナル紙を組み立てた斜視図である（包装箱の役目を終えた空箱と同じ形態）。
【図３】包装箱の役目を終えた空箱をコンパクトに折り畳む状況を経時的に説明するための概略斜視図である。
【図４】包装箱の役目を終えた空箱をコンパクトに折り畳む状況を経時的に説明するための概略斜視図である。
【図５】包装箱の役目を終えた空箱をコンパクトに折り畳む状況を経時的に説明するための概略斜視図である。
【図６】包装箱の役目を終えた空箱をコンパクトに折り畳む状況を経時的に説明するための概略斜視図である。
【符号の説明】
１…マルチパック用包装箱
２…上面板
２ａ，２ｂ…第１折り線部位
３，４…側面板
３ａ，４ａ…第２折り線部位
５，６…底面板
７０ａ，７０ｂ…係合突起片
８０ａ，８０ｂ…係合孔
【図１】
2004196345.tif 000003
【図２】
2004196345.tif 000004
【図３】
2004196345.tif 000005
【図４】
2004196345.tif 000006
【図５】
2004196345.tif 000007
【図６】
2004196345.tif 000008